【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
ワックスと、
任意の分散剤と、
任意の相乗剤と、
植物に由来する着色剤、昆虫に由来する着色剤、またはそれらの混合物もしくは組合せである天然由来着色剤と
を含む相変化インク組成物。
【請求項２】
前記天然由来着色剤は、ベニバナ、ジャケツイバラ、アカネ、ケルメス、リュウケツジュ、キリンケツヤシ、コチニール、ラック、ブーゲンビリア、アキノキリンソウ、チーク、マリーゴールド、モクセイソウ、サフラン、パリジャタ、インジゴ、タイセイ、サントベリー、プリベット、軟体類、ムラサキ、スイレン、トゥルシー、カンナ、スズラン、イラクサ、バルサム、ダリア、アナットー、ブラックベリー、ハンノキ、ロフブラマラ（Ｒｏｆｂｌａｍａｌａ）、牛心梨、テルミナリア・ケブラ、ウコン、ならびにそれらの混合物および組合せからなる群の一員から誘導される、請求項１に記載の相変化インク組成物。
【請求項３】
前記天然由来着色剤は、テトラピロール、テトラテルペノイド、キニン、Ｏ−複素環式化合物、Ｎ−複素環式化合物、金属タンパク質、またはそれらの混合物もしくは組合せからなる群の一員から誘導される、請求項１に記載の相変化インク組成物。
【請求項４】
前記天然由来着色剤は、ポルフィリン、ポルフィリン誘導体、クロロフィル、ヘム顔料、ビリン、カロテン、キサントフィル、ベンゾキノン、アントラキノン、ナフトキノン、アントシアニン、フラボノール、インジゴイド、インドール誘導体、ベタライン、ユーメラニン、置換ピリミジン、プテリン、プリン、オリゴマータンパク質、鉄系タンパク質、ヘムエリスリン、ミオヘムエリスリン、リポフスチン、菌類顔料、ならびにそれらの混合物および組合せからなる群の一員から誘導される、請求項１に記載の相変化インク組成物。
【請求項５】
前記ワックスは、ポリアルキレンワックスである、請求項１に記載の相変化インク組成物。
【請求項６】
前記ワックスは、ポリメチレンワックス、ポリエチレンワックス、またはそれらの混合物もしくは組合せである、請求項１に記載の相変化インク組成物。
【請求項７】
前記ワックスは、生分解性ワックスである、請求項１に記載の相変化インク組成物。
【請求項８】
分散剤は、式
【化１】
2014109031.tif 000001
（式中、ＲおよびＲ’は同一であるか、または異なっており、ＲおよびＲ’は、独立に、３７個の炭素原子を有する直鎖状アルキル基および４７個の炭素原子を有する直鎖状アルキル基から選択され、ｍは、１から３０の整数である）の化合物、またはそれらの混合物である、請求項１に記載の相変化インク組成物。
【請求項９】
分散剤は、相変化インクの色を調整するように選択される、請求項１に記載の相変化インク組成物。
【請求項１０】
相乗剤は、式
【化２】
2014109031.tif 000002
【化３】
2014109031.tif 000003
の化合物である、請求項１に記載の相変化インク組成物。
【請求項１１】
相変化インク組成物を調製するための方法であって、
相変化インク組成物を製造するための、ワックスと、任意の分散剤と、任意の相乗剤と、植物に由来する着色剤、昆虫に由来する着色剤、またはそれらの混合物もしくは組合せである天然由来着色剤とを混合することを含む方法。
【請求項１２】
前記天然由来着色剤は、ベニバナ、ジャケツイバラ、アカネ、ケルメス、リュウケツジュ、キリンケツヤシ、コチニール、ラック、ブーゲンビリア、アキノキリンソウ、チーク、マリーゴールド、モクセイソウ、サフラン、パリジャタ、インジゴ、タイセイ、サントベリー、プリベット、軟体類、ムラサキ、スイレン、トゥルシー、カンナ、スズラン、イラクサ、バルサム、ダリア、アナットー、ブラックベリー、ハンノキ、ロフブラマラ（Ｒｏｆｂｌａｍａｌａ）、牛心梨、テルミナリア・ケブラ、ウコン、ならびにそれらの混合物および組合せからなる群の一員から誘導される、請求項１１に記載の方法。
【請求項１３】
前記天然由来着色剤は、テトラピロール、テトラテルペノイド、キニン、Ｏ−複素環式化合物、Ｎ−複素環式化合物、金属タンパク質、またはそれらの混合物もしくは組合せからなる群の一員から誘導される、請求項１１に記載の方法。
【請求項１４】
前記天然由来着色剤は、ポルフィリン、ポルフィリン誘導体、クロロフィル、ヘム顔料、ビリン、カロテン、キサントフィル、ベンゾキノン、アントラキノン、ナフトキノン、アントシアニン、フラボノール、インジゴイド、インドール誘導体、ベタライン、ユーメラニン、置換ピリミジン、プテリン、プリン、オリゴマータンパク質、鉄系タンパク質、ヘムエリスリン、ミオヘムエリスリン、リポフスチン、菌類顔料、ならびにそれらの混合物および組合せからなる群の一員から誘導される、請求項１１に記載の方法。
【請求項１５】
ワックスと、
任意の分散剤と、
任意の相乗剤と、
植物に由来する着色剤、昆虫に由来する着色剤、またはそれらの混合物もしくは組合せである天然由来着色剤と
を含む相変化インク組成物を含むインクジェットプリンタスティックまたはペレット。
【請求項１６】
前記天然由来着色剤は、ベニバナ、ジャケツイバラ、アカネ、ケルメス、リュウケツジュ、キリンケツヤシ、コチニール、ラック、ブーゲンビリア、アキノキリンソウ、チーク、マリーゴールド、モクセイソウ、サフラン、パリジャタ、インジゴ、タイセイ、サントベリー、プリベット、軟体類、ムラサキ、スイレン、トゥルシー、カンナ、スズラン、イラクサ、バルサム、ダリア、アナットー、ブラックベリー、ハンノキ、ロフブラマラ（Ｒｏｆｂｌａｍａｌａ）、牛心梨、テルミナリア・ケブラ、ウコン、ならびにそれらの混合物および組合せからなる群の一員から誘導される、請求項１５に記載のインクジェットプリンタスティックまたはペレット。
【請求項１７】
前記天然由来着色剤は、テトラピロール、テトラテルペノイド、キニン、Ｏ−複素環式化合物、Ｎ−複素環式化合物、金属タンパク質、またはそれらの混合物もしくは組合せからなる群の一員から誘導される、請求項１５に記載のインクジェットプリンタスティックまたはペレット。
【請求項１８】
前記天然由来着色剤は、ポルフィリン、ポルフィリン誘導体、クロロフィル、ヘム顔料、ビリン、カロテン、キサントフィル、ベンゾキノン、アントラキノン、ナフトキノン、アントシアニン、フラボノール、インジゴイド、インドール誘導体、ベタライン、ユーメラニン、置換ピリミジン、プテリン、プリン、オリゴマータンパク質、鉄系タンパク質、ヘムエリスリン、ミオヘムエリスリン、リポフスチン、菌類顔料、ならびにそれらの混合物および組合せからなる群の一員から誘導される、請求項１５に記載のインクジェットプリンタスティックまたはペレット。
【請求項１９】
相変化インク組成物を製造するための、ワックスと、任意の分散剤と、任意の相乗剤と、植物に由来する着色剤、昆虫に由来する着色剤、またはそれらの混合物もしくは組合せである天然由来着色剤とを含む相変化インク組成物をインクジェット印刷装置に導入すること、
前記インク組成物を溶融させること、および
前記溶融したインクの液滴を画像様パターンで基板上に射出させること、
を含む方法。
【請求項２０】
前記天然由来着色剤は、ベニバナ、ジャケツイバラ、アカネ、ケルメス、リュウケツジュ、キリンケツヤシ、コチニール、ラック、ブーゲンビリア、アキノキリンソウ、チーク、マリーゴールド、モクセイソウ、サフラン、パリジャタ、インジゴ、タイセイ、サントベリー、プリベット、軟体類、ムラサキ、スイレン、トゥルシー、カンナ、スズラン、イラクサ、バルサム、ダリア、アナットー、ブラックベリー、ハンノキ、ロフブラマラ（Ｒｏｆｂｌａｍａｌａ）、牛心梨、テルミナリア・ケブラ、ウコン、ならびにそれらの混合物および組合せからなる群の一員から誘導される、請求項１９に記載の方法。